(57)【特許請求の範囲】
【請求項１】
それぞれ縦線と横線とを格子状に組んだものからなる一方のメッシュフェンスと他方のメッシュフェンスとを互いに角度調整自在に連結するためのフェンス用コーナー継手金具において、
前記一方のメッシュフェンスに固定される一方の固定金具と、前記他方のメッシュフェンスに固定される他方の固定金具と、前記一方および他方の固定金具を互いに角度調整自在に連結するための連結金具とからなり、前記一方および他方の固定金具は、それぞれ固定板と前記縦線が入り込む溝が形成された当て板とからなり、前記固定板と前記当て板とは、前記縦線を挟んでボルトにより固定位置調整可能に連結され、前記連結金具は、互いに重ね合わされる一対の連結板からなり、前記一方の連結板は、前記一方の固定金具の前記固定板に軸着され、前記他方の連結板は、前記他方の固定金具の前記固定板に軸着され、前記一対の連結板は、ボルトにより伸縮可能に連結されていることを特徴とするフェンス用コーナー継手金具。
【発明の詳細な説明】
【０００１】
【発明の属する技術分野】
この発明は、フェンス用コーナー継手金具、特に、フェンスの連結角度が鋭角になっても、連結金具がフェンスの連結端から突出せず、従って、外観を悪化させず、しかも、連結角度に制約を受けないフェンス用コーナー継手金具に関するものである。
【０００２】
【従来の技術】
近年、図７の概略斜視図に示すような、それぞれ複数本の縦線１と横線２とを格子状に溶接し、縦線１の上下端部をリング状に折り曲げることによって胴縁３を形成したものからなるメッシュフェンス４が普及している。
【０００３】
従来、このようなメッシュフェンス４同士を角度を付けて連設するには、同図に示すように、メッシュフェンス４同士をヒンジ構造の連結金具５を介して互いに連結していた。
【０００４】
【発明が解決しようとする課題】
しかしながら、上述した従来技術によりメッシュフェンス４同士を角度を付けて連設する場合、メッシュフェンス４の連結角度が鋭角になった場合には、図８の概略平面図に示すように、メッシュフェンス４の連結端から連結金具５が長さ（Ｌ）だけ突出して危険であるばかりか、外見を悪化させ、しかも、あまり連結角度が鋭角になると、胴縁３同士がぶつかるので、連結角度に限界があった。
【０００５】
従って、この発明の目的は、メッシュフェンスの連結角度が鋭角になっても、連結金具がメッシュフェンスの連結端から突出せず、従って、外観を悪化させず、しかも、連結角度に制約を受けないフェンス用コーナー継手金具を提供することにある。
【０００６】
【課題を解決するための手段】
請求項１記載の発明は、それぞれ縦線と横線とを格子状に組んだものからなる一方のメッシュフェンスと他方のメッシュフェンスとを互いに角度調整自在に連結するためのフェンス用コーナー継手金具において、前記一方のメッシュフェンスに固定される一方の固定金具と、前記他方のメッシュフェンスに固定される他方の固定金具と、前記一方および他方の固定金具を互いに角度調整自在に連結するための連結金具とからなり、前記一方および他方の固定金具は、それぞれ固定板と前記縦線が入り込む溝が形成された当て板とからなり、前記固定板と前記当て板とは、前記縦線を挟んでボルトにより固定位置調整可能に連結され、前記連結金具は、互いに重ね合わされる一対の連結板からなり、前記一方の連結板は、前記一方の固定金具の前記固定板に軸着され、前記他方の連結板は、前記他方の固定金具の前記固定板に軸着され、前記一対の連結板は、ボルトにより伸縮可能に連結されていることに特徴を有するものである。
【０００９】
【発明の実施の形態】
次に、この発明のフェンス用コーナー継手金具の一実施態様を、図面を参照しながら説明する。
【００１０】
図１は、この発明のフェンス用コーナー継手金具を示す平面図、図２は、この発明のフェンス用コーナー継手金具を示す正面図、図３は、この発明のフェンス用コーナー継手金具によってメッシュフェンス同士を互いに連結した状態を示す部分斜視図、図４は、この発明のフェンス用コーナー継手金具の連結金具を伸ばして、メッシュフェンス同士を互いに固定した状態を示す部分斜視図、図５は、胴縁が干渉した状態を示す斜視図、図６は、この発明のフェンス用コーナー継手金具によってメッシュフェンスを鋭角に連結した状態を示す概略平面図である。
【００１１】
図１から図６において、６は、一方のメッシュフェンス７に固定される一方の固定金具、８は、他方のメッシュフェンス９に固定される他方の固定金具、そして、１０は、一方の固定金具６と他方の固定金具８とを互いに連結するための連結金具である。両メッシュフェンス７、９は、それぞれ複数本の縦線１１と横線１２とを格子状に溶接したものからなっており、上下端には、縦線１１をリング状に折り曲げることによって、胴縁１８が形成されている。
【００１２】
一方の固定金具６は、固定板１４と当て板１５とからなり、一方のメッシュフェンス７の縦線１１を挟んで固定板１４と当て板１５とがボルト１３により固定される。固定板１４には、ボルト挿入用長孔１４Ａが形成され、当て板１５には、縦線１１が入り込む溝１５Ａが形成されている。固定板１４にボルト挿入用長孔１４Ａが形成されていることによって、長孔１４Ａの長さ分だけ固定板１４の固定位置を調整できる。
【００１３】
他方の固定金具８も一方の固定金具６と同様に、固定板１４と当て板１５とからなり、他方のメッシュフェンス９の縦線１１を挟んで固定板１４と当て板１５とがボルト１３により固定される。
【００１４】
連結金具１０は、それぞれボルト挿入用長孔１６Ａが形成された一対の連結板１６からなっている。一対の連結板１６は、互いにボルト１７によって固定され、一対の連結板１６の各々の端部に固定板１４の端部が軸着されている。連結板１６にボルト挿入用長孔１６Ａが形成されていることによって、連結金具１０の長さを長孔１６Ａの長さ分だけ調整できる。連結金具１０の長さは、メッシュフェンス７、９の連結角度に応じて調整する。
【００１５】
このように構成されている、この発明のフェンス用コーナー継手金具によれば、以下のようにして、メッシュフェンスが互いに角度を付けて連結される。
一方および他方のメッシュフェンス７、９の連結端の縦線１１にボルト１３によって、一方および他方の固定金具６、８を固定する。図５に示すように、両メッシュフェンス７、９をこれらの胴縁１８が互いに干渉する程度に鋭角に連結する場合には、図６に示すように、連結金具１０を伸ばせば、胴縁１８の干渉を解消できる。しかも、図６に示すように、連結金具１０は、メッシュフェンス７、９の連結端から突出しない。従って、外観を悪化させることがなく、しかも、連結金具１０に引っ掛かって怪我をする恐れもない。
【００１６】
なお、この発明のコーナー継手金具は、メッシュフェンス以外のフェンスにも適用できることは言うまでもない。
【００１７】
【発明の効果】
以上説明したように、この発明は、一方のフェンスに固定される一方の固定金具と、他方のフェンスに固定される他方の固定金具と、一方の固定金具と他方の固定金具とを互いに連結するための連結金具とによって構成され、連結金具は、一方の固定金具および他方の固定金具にそれぞれ軸着され、連結金具の長さは、一方のフェンスと他方のフェンスとの連結角度に応じて伸縮可能になっているので、メッシュフェンスの連結角度が鋭角になっても、連結金具がメッシュフェンスの連結端から突出せず、従って、外観を悪化させず且つ連結金具に引っ掛かる恐れがなく、しかも、連結角度に制約を受けないといった有用な効果がもたらされる。
【図面の簡単な説明】
【図１】この発明のフェンス用コーナー継手金具を示す平面図である。
【図２】この発明のフェンス用コーナー継手金具を示す正面図である。
【図３】この発明のフェンス用コーナー継手金具によってメッシュフェンス同士を互いに連結した状態を示す部分斜視図である。
【図４】この発明のフェンス用コーナー継手金具の連結金具を伸ばして、メッシュフェンス同士を互いに固定した状態を示す部分斜視図である。
【図５】胴縁が干渉した状態を示す斜視図である。
【図６】この発明のフェンス用コーナー継手金具によってメッシュフェンスを鋭角に連結した状態を示す概略平面図である。
【図７】従来のフェンスの連結構造を示す概略斜視図である。
【図８】従来のフェンスの連結構造を示す概略平面図である。
【符号の説明】
１：縦線
２：横線
３：胴縁
４：メッシュフェンス
５：連結金具
６：一方の固定金具
７：一方のメッシュフェンス
８：他方の固定金具
９：他方のメッシュフェンス
１０：連結金具
１１：縦線
１２：横線
１３：ボルト
１４：固定板
１４Ａ：長孔
１５：当て板
１５Ａ：溝、
１６：連結板、
１６Ａ：長孔
１７：ボルト
１８：胴縁
【図１】
0004014297.tif 000002
【図２】
0004014297.tif 000003
【図３】
0004014297.tif 000004
【図４】
0004014297.tif 000005
【図５】
0004014297.tif 000006
【図６】
0004014297.tif 000007
【図７】
0004014297.tif 000008
【図８】
0004014297.tif 000009